(57)【要約】【課題】複数の販売主を参加させて、懸賞に応募した消費者に供与する賞品や賞金を各販売主に負担させ、懸賞にかかる各販売主の経費負担を軽減する。【解決手段】商品を購入した消費者に対して発行する懸賞参加情報としての懸賞参加アドレス、及び、登録コードが、登録して賃貸契約した販売主に発行されると共に、該懸賞参加情報の登録コードに基づいてネットワーク上で抽選を開催して消費者の募集を行い、しかも、懸賞に応募してきた消費者に対し懸賞参加情報の登録コードに合わせて抽選コードを発行すると共に、抽選コードを集計して抽選処理を行い、且つ、当選した消費者に当選通知を行う。さらに、販売主によって支払われた、登録料、管理費、登録コードの賃貸料を集計し、消費者に発送される賞金や賞品の一部又は全てを宛がう。【選択図】    図２
2005043982.tif 000002
【特許請求の範囲】
【請求項１】
商品を購買した消費者に個別に発行される懸賞参加情報が、登録して賃貸契約した販売主に発行されると共に、該懸賞参加情報に基づいてネットワーク上で抽選を開催して消費者の募集が行われ、しかも、懸賞に応募してきた消費者に対し懸賞参加情報に合わせて抽選コードが発行されると共に、該抽選コードを集計して抽選処理が行われ、且つ、当選通知が、当選した消費者に通知されるように構成されてなることを特徴とする懸賞仲介システム。
【請求項２】
前記懸賞参加情報は、消費者が懸賞商品の抽選に参加するための懸賞参加用アドレスと、登録された販売主の識別を行うため、及び、前記抽選コードを、懸賞に応募してきた消費者に発行するための登録コードとから構成され、しかも、前記懸賞参加用アドレスは、販売主に共通して発行され、さらに、前記登録コードを賃貸契約した販売主に対して賃貸料の支払い通知が行われると共に、販売主の登録コードの賃貸によって収集した賃貸料の一部又は全てが、当選した消費者に対して発送される賞金や賞品に宛がわれるように構成されてなることを特徴とする請求項１に記載の懸賞仲介システム。
【発明の詳細な説明】
【０００１】
【発明の属する技術分野】
本発明は、販売主が、商品を購買した消費者に対して懸賞参加情報を発行し、懸賞参加情報に基づくネットワーク上での抽選によって、消費者の募集を行うと共に、消費者の販売意欲を促す懸賞仲介システムに関する。
【０００２】
【従来の技術】
従来の懸賞システムは、例えば、特開２００１−３１９０１０号に示すように、商品を購入した消費者が、商品に付けられている応募コードナンバーを取得して懸賞に参加することで、抽選処理が行われると共に、消費者の顧客情報の収集処理が行われている。
【０００３】
そして、抽選応募する際のはがきの入力作業や仕分け作業の伴う作業コストを削減できると共に、販売主がデータベース化された顧客情報を効率よく取得できるようになっている。
【０００４】
【発明が解決しようとする課題】
しかしながら、前記従来の懸賞システムの場合、複数の販売主が参加していないため、一つの販売主が、抽選を主催しなければならず、当選した消費者に対して供与する賞品や賞金も負担する必要があるという問題がある。
【０００５】
そこで、本発明は上記問題点に鑑み、複数の販売主を参加させると共に、懸賞に応募した消費者に供与する賞品や賞金を参加した複数の販売主に負担させ、懸賞にかかる各販売主の経費負担を軽減できる懸賞仲介システムを提供することを目的とする。
【０００６】
【課題を解決するための手段】
上記課題を解決するために、本発明の懸賞仲介システムは、請求項１に示す如く、商品を購買した消費者に個別に発行される懸賞参加情報が、登録して賃貸契約した販売主に発行されると共に、該懸賞参加情報に基づいてネットワーク上で抽選を開催して消費者の募集が行われ、しかも、懸賞に応募してきた消費者に対し懸賞参加情報に合わせて抽選コードが発行されると共に、該抽選コードを集計して抽選処理が行われ、且つ、当選通知が、当選した消費者に通知されるように構成されてなるものである。
【０００７】
したがって、商品を購入した消費者に個別に発行される懸賞参加情報の登録コードを、登録して賃貸契約した販売主に発行することによって、販売主自身が、抽選を行うよりも安価にシステムを構築できる。
【０００８】
また、懸賞参加情報に基づいてネットワーク上で抽選を開催することで、消費者を効率よく募集できる。
【０００９】
しかも、懸賞に応募してきた消費者に対し懸賞参加情報に合わせて抽選コードを発行すると共に、該抽選コードを集計して抽選処理を行うようにしたので、懸賞参加情報の掲載された販売店が消費者の口コミで広まるようになり、販売促進に繋がる。
【００１０】
また、請求項２に示す如く、前記懸賞参加情報は、消費者が懸賞商品の抽選に参加するための懸賞参加用アドレスと、登録された販売主の識別を行うため、及び、前記抽選コードを、懸賞に応募してきた消費者に発行するための登録コードとから構成され、しかも、前記懸賞参加用アドレスは、販売主に共通して発行され、さらに、前記登録コードを賃貸契約した販売主に対して賃貸料の支払い通知が行われると共に、販売主の登録コードの賃貸によって収集した賃貸料の一部又は全てが、当選した消費者に対して発送される賞金や賞品に宛がわれるようにしたものである。
【００１１】
よって、消費者が抽選に参加するための懸賞参加の必須条件として、登録コードを賃貸することで、仲介業者は、販売主からの賃貸料を確保できる。
【００１２】
また、懸賞参加情報の登録コードの一つ目の機能として、登録された販売主の識別を行うことができるため、仲介業者によって販売主を管理できる。さらに、懸賞参加情報の登録コードの二つ目の機能として、登録コードに合わせて懸賞に応募してきた消費者に抽選コードを発行するため、懸賞に応募してきた消費者を確実に集計して抽選処理できる。登録コードを賃貸契約した販売主が消費者の抽選コードに基づいて特定できる。
【００１３】
加えて、登録コードを賃貸契約した販売主に対して賃貸料の支払いが義務付けられるため、仲介業者は、消費者に支給する賞金や賞品の費用を、登録コードによって販売主から確実に徴収できる。
【００１４】
また、販売主の登録コードの賃貸によって収集した賃貸料の一部又は全てを、当選した消費者に対して発送される賞金や賞品に宛がうようにしたため、販売主からの集金状態に合った賞金や賞品が仲介業者を介して消費者に発送されることになる。
【００１５】
【発明の実施の形態】
本発明の一実施形態につき、図１〜図２３を参照して説明する。
本発明の懸賞仲介システムの全体構成は、例えば、図１に示すように、ネットワーク１上で運営される仲介業者の管理サーバ２に、販売主の所有する携帯電話やパソコンなどの販売主の端末装置３，…と、販売主の商品を購入した消費者の所有する携帯電話やパソコンなどの消費者の端末装置４，…とが通信回線を介して相互に接続されて構成されている。
【００１６】
本発明の懸賞仲介システムの概要は、図２に示すように、複数の販売主を参加させると共に、懸賞に応募した複数の消費者に供与する賞品や賞金を、参加した複数の販売主から徴収した賃貸料から配分して、懸賞にかかる各販売主の経費負担を軽減すると共に、消費者の購買意欲を高め、且つ、懸賞に応募してきた消費者の顧客情報を効率よく収集できるようにしたものである。
【００１７】
管理サーバ２は、データ送受信部と、Ｗｅｂページ表示部と、本発明の懸賞仲介システムの概要説明閲覧部と、販売主の登録処理及び契約申し込み処理部と、販売主のリスト閲覧部と、消費者の登録処理部と、販売主及び消費者のパスワード発行部と、販売主及び消費者のログイン認証部と、販売主の販売商品に付加される懸賞参加情報発行部と、懸賞に参加した消費者に発行される抽選コード発行部と、該抽選コードを集計して抽選処理を行う抽選処理部と、販売主への料金支払い通知部と、消費者への当選懸賞の送付通知及び受け取り確認部と、仲介業者のデータ管理部とを備えている（図示せず）。なお、管理サーバ２を介して消費者、販売主、仲介業者間で送受信される情報は、暗号化処理されることで保護されている。
【００１８】
データ送受信部は、ネットワーク１を介して販売主の端末装置３，…や消費者の端末装置４，…に対してデータを送受信する。
【００１９】
Ｗｅｂページ表示部は、以下に説明するＷｅｂページをネットワーク１上に配信して表示させる。図４に示す本発明の懸賞仲介システムのトップページと、本発明の懸賞仲介システムの概要説明の閲覧ページと、本発明の懸賞仲介システムの消費者の案内ページと、本発明の懸賞仲介システムの消費者の規約の閲覧ページと、図１５に示す本発明の懸賞仲介システムの消費者の登録ページと、本発明の懸賞仲介システムの販売主の案内ページと、図２３に示す本発明の懸賞仲介システムの仲介業者が管理する販売主の消費者リスト閲覧ページと、図７に示す本発明の懸賞仲介システムの販売主の登録・契約申し込みページと、図５（Ａ）に示す本発明の懸賞仲介システムの販売主及び消費者の抽選案内の閲覧ページと、図５（Ｂ）に示す本発明の懸賞仲介システムの当選者リストの閲覧ページと、図１３に示す本発明の懸賞仲介システムの仲介業者の管理ページ（販売主リスト閲覧ページ）と、図１７、図２０、図２２に示す本発明の懸賞仲介システムの仲介業者の管理ページとから構成されている。なお、トップページは、上述した各ページとリンクしている。
【００２０】
本発明の懸賞仲介システムの概要説明閲覧部は、例えば、Ｗｅｂページ表示部により、概要説明の閲覧ページが表示される（図示せず）。懸賞に応募した消費者は、商品を購入した際に販売主から発行された懸賞参加情報の登録コードを入力するだけで、抽選されて賞金や賞品が貰えること、この賞金や賞品が、参加した販売主によって支払われる懸賞参加情報の登録コードの賃貸料金の一部又は全てから宛がわれること、さらに、懸賞に参加した消費者の年齢、性別が販売主へ通知されることが概略説明されている。
【００２１】
販売主の契約申し込み処理及び登録処理部は、例えば、Ｗｅｂページ表示部により、販売主の案内ページが初めに表示される（図示せず）。この案内ページには、販売主に対して、登録料及び管理費の説明、懸賞参加情報が、懸賞参加用アドレスと、登録コードとから構成されていること（図８参照）、懸賞参加用アドレスの説明、登録コードの説明、懸賞参加情報の登録コードの賃貸によって発生する料金、及び、該料金の支払方法の説明、懸賞参加情報によって収集される消費者の情報、懸賞に参加した消費者への賞金や賞品の支給方法、当システムの懸賞仲介による経費節減、消費者の購買意欲の向上、消費者の情報収集の効率化などの説明が掲載されている。
【００２２】
そして、販売主の案内ページの終わりには、以下に説明する登録処理及び契約申し込みの処理ページに移行するためのメニューが表示され、このメニューをクリックすると、図７に示す登録・契約申し込みページが表示される。登録処理としては、販売主の名前、住所、電話番号、ＦＡＸ番号、メールアドレス、業種、担当者の氏名、担当部署などを入力する。契約申し込み処理としては、販売主の登録料及び管理費、商品を購入した消費者に発行する懸賞参加情報の登録コードの賃貸料金の支払いを販売主が承諾した上で、賃貸契約を申し込む。
【００２３】
この懸賞参加情報は、上述したように懸賞参加用アドレスと、登録コードとから構成されている（図８参照）。懸賞参加用アドレスは、消費者が抽選に応募するためのもので、消費者が当サイトのトップページにアクセスされる。さらに、懸賞参加用アドレスは、各販売主に対し共通して賃貸発行される。登録コードは、登録年月、登録された販売主の識別を行うため、及び、図９に示す抽選コードを懸賞に応募してきた消費者に発行するためのものである。さらに、消費者への登録コードの賃貸発行本数は、例えば、５０本単位で販売主に発行される。但し、余った登録コードは、次回の抽選に流用できる。
【００２４】
さらに、懸賞参加情報の懸賞参加用アドレスは、販売主に共通して発行されるもので、料金の支払い義務は生じない。登録コードは、上述したように販売主が所定ロット（例えば５０本単位）毎に申し込みを行う。加えて、登録コードは、契約時における賃貸料金の支払い義務が発生する。即ち、販売主は、登録料金と、管理費と、登録コードの賃貸料金とを、仲介業者に対して支払うことになる。この支払い通知メール（図１１参照）は、料金支払い通知部によって行われる。
【００２５】
そして、登録処理及び契約申し込み処理ページにおいて、上述した必要事項に入力した後、データ送受信部により、図１２に示す契約・登録完了のメールが販売主に送信される。
【００２６】
なお、仲介業者と販売主との正式契約が成立するのは、仲介業者が、販売主からの賃貸料金などの入金振り込みを確認した後であり、図１２に示すように、契約成立の証として、懸賞参加情報発行部において発行された懸賞参加用アドレス、登録コード、並びに、パスワード発行部において発行されたパスワードの記載されたメールがデータ送受信部より販売主に送信される。各料金の支払いは、仲介業者の指定する銀行や郵便局などの振込み口座において行われる。
【００２７】
販売主のリスト閲覧部は、例えば、Ｗｅｂページ表示部により、販売主リスト閲覧ページが表示される。この販売主のリスト閲覧ページは、図１３に示すように、販売主の名称（企業名）、登録コード、登録日、メールアドレスなどが掲載される。なお、便宜上、図１３においては、一つの販売主が表示されているが、検索メニューをクリックすると、本発明の懸賞仲介システムの懸賞に参加している複数の販売主の名称、住所、電話番号、ＦＡＸ番号、メールアドレス、担当者名、業種などが閲覧できる（図示せず）。
【００２８】
販売主のログイン認証部は、販売主が図４に示すトップページにおいて入力したパスワードと、データベースに蓄積された販売主の登録情報とを照合してアクセス許可を行う。そして、販売主は、パスワード入力によって、例えば、図２３に示す仲介業者の管理する販売主が閲覧可能な消費者リスト閲覧ページに移行できる。該管理ページには、販売主が賃貸契約した登録コードを取得した消費者の登録コード、年齢、登録日、性別が掲載されており、集計したアクセス人数も閲覧できるように構成されている。
【００２９】
消費者の登録処理部は、例えば、消費者が、商品を購入した際に販売主から発行された懸賞参加用アドレスによって、当サイトのトップページ（図４参照）にアクセスし、トップページに掲載されている消費者登録ページのメニューを選択してクリックすると、Ｗｅｂページ表示部により、図１５に示す消費者の登録ページが表示され、消費者の名前、メールアドレス、希望パスワード、懸賞参加用アドレスと共に発行された登録コード、年齢、性別、職業、住所、電話番号、ＦＡＸ番号などの連絡先を入力する。そして、上述した各項目に必要事項が入力された後、データ送受信部により、図１６に示すように、登録された販売主（加盟店）の宣伝、登録コード、後述する抽選コード、アドレス、希望パスワード、登録日、販売主（加盟店）の名称、注意事項などが記載された登録完了のメールが消費者に送信される。
【００３０】
消費者のログイン認証部は、消費者がトップページにおいて入力した希望パスワード、及び、懸賞参加用アドレスと、データベースに蓄積された消費者の登録情報とを照合してアクセス許可を行う。
【００３１】
抽選コード発行部は、消費者が入力した登録コードを抽選コードに変換し、上述した登録完了のメールに記載されて消費者に発行される。この抽選コードは、図９に示すように、文字や記号の組み合わせによって構成され、消費者が自己の責任を持って保管する。
【００３２】
抽選処理部は、消費者に対して所定期間内に発行された抽選コードを集計し、ネットワーク上で告示されている懸賞に応じて抽選処理を行う。なお、設定された懸賞の当選本数（例えば、一等が１本、二等が５本、三等が１０本）は、仲介業者が図２０に示す販売主の管理ページ（販売主からの入金、及び、懸賞の配分）において適宜決定してネットワーク１上において告示はしない。
【００３３】
当選懸賞の送付通知及び受け取り確認部は、抽選に当選した消費者に対して賞品や賞金を送付の通知と、受領した当選者本人であるか否かを確認とを、データ送受信部よりメールで送信する（図１８（Ａ）、（Ｂ）参照）。そして、送信されたメールの確認事項は、メールに掲載されたページアドレスによって仲介業者の管理サーバ２に返信されるようになっている。
【００３４】
仲介業者のデータ管理部は、仲介業者のみが有するパスワードによってログインでき、例えば、Ｗｅｂページ表示部により、図１３に示す販売主リスト閲覧ページ、図１７に示す消費者リストの管理ページ、図２０に示す販売主の管理ページ、図２２に示す仲介業者の消費者の管理ページ、図２３に示す仲介業者の管理する販売主が閲覧可能な消費者リスト閲覧ページが表示される。
【００３５】
つぎに本発明の懸賞仲介システムの手続につき説明する。販売主が登録・契約申し込みする場合の手続きにつき、図６を参照して説明する。まず、図４の本発明の懸賞仲介システムのトップページにおいて、本発明の懸賞仲介システムの概要を読む。その後、販売主の案内ページに移行し、続いて、図７に示す登録・契約申し込みページに移行し、本発明の懸賞仲介システムの契約内容を読む。その後、図７の登録・契約申し込みページにおいて、企業名、所在地、電話番号、ＦＡＸ番号、メールアドレス、希望パスワード、代表者名、担当者名、業種、懸賞参加用アドレス、及び、賃貸する登録コードの本数を入力し、最後に、契約内容の理解の確認項目、及び、登録確認の項目をクリックすると、図１０に示す受付完了の通知メールが登録した販売主に送信される（ステップ１）。
【００３６】
この際、販売主は、登録コードの賃貸料金の支払い義務が生じる。つぎに、図１１に示す支払い通知メールが販売主に送信され、販売主が支払い通知メールを受信する（Ｓ２）。そして、販売主は指定の振込口座に入金し（Ｓ３）、その後、即ち仲介業者による入金確認後、図１２に示すように、契約完了日、ログイン用のパスワード、懸賞参加情報（懸賞参加用アドレス、及び、登録コード）の掲載された登録・契約完了通知メールが販売主に送信され、販売主が受信して登録会員となる（Ｓ４）。登録された販売主は、図１３に示す販売主リスト閲覧ページに記録されることになる。そして、販売主は、図３に示すように、例えば、所定金額（１５００円以上）の商品を購入した消費者に懸賞参加用情報の記載されたタックシールを郵送する。
【００３７】
つぎに、消費者が登録する場合の手続きにつき、図１４を参照して説明する。消費者は、商品を購入した際に販売主から配布された図３に示すタックシールに記載された懸賞参加用アドレス、及び、登録コードを取得し（Ｓ１０）、懸賞参加用アドレスによって図４の本発明の懸賞仲介システムのトップページにアクセスする（Ｓ１１）。アクセスした消費者は、システムの概要を閲覧した後、図５（Ａ）の抽選内容の閲覧ページを閲覧し、一等、二等、三等の各賞金を確認したり、図５（Ｂ）の当選者リスト閲覧ページを閲覧したりする。つぎに、図１５に示す消費者の登録ページに移行し、名前、メールアドレス、希望パスワード、登録コード、年齢、性別、職業、住所、連絡先を入力して登録する（Ｓ１２）。登録された消費者は、図１７に示す消費者リストに記録されることになる。この際、消費者の個人情報のうち登録コード、年齢、登録日、性別などは、承諾の上、販売主の顧客管理のデータとして管理される。その後、登録された消費者に対して、図１６に示す登録完了通知メールが送信される。この通知メールには、図９に示すように、消費者が入力した登録コードに対して発行された抽選コード、及び、パスワードが掲載されている（Ｓ１３）。そして、消費者は、抽選処理が行われるまで待つことになる。
【００３８】
つぎに、管理サーバ２の抽選処理部において、例えば、月一回、抽選処理が行われる（Ｓ１４）。即ち、消費者の抽選コードを無作為に選択して当選者を決定し（Ｓ１５）、当選懸賞の送付通知部より、当選した消費者に対して当選懸賞の発送通知が成される。この際、消費者は、例えば、図１８（Ａ）に示す規定額以上（一万円以上）の当選者通知メール、図１８（Ｂ）に示す規定額未満（一万円未満）の当選者にそれぞれ当選通知メールを受信する（Ｓ１６）。一万円以上の当選者の当選者通知メールには、登録コードの確認と、販売主の名前の確認とを行うためのページアドレスが掲載されている。一万円未満の当選者の当選者通知メールには、登録コードの確認を行うためのページアドレスが掲載されている。このページアドレスによって、仲介業者は、いずれの当選者に対しても本人であるか否かを確認できるようになる。そして、当選者は、仲介業者から発送される賞金や賞品を受け取った（Ｓ１７）後、図示しない受取確認の返信用メールが管理サーバから販売主に送信される（Ｓ１８）。さらに、当選者に対して発送される懸賞の費用は、販売主から支払われた契約時の料金と、抽選処理後の料金との合計された費用の一部又は全てから宛がわれる。なお、抽選から外れた消費者は、敗者復活戦が行われる（Ｓ１９）。
【００３９】
つぎに、仲介業者のデータ管理部における管理フロー、及び、管理ページについて、図１９〜図２２を参照して説明する。まず、販売主に対して、図１９に示すように、参加した販売主の登録処理を行うと共に（Ｓ２０）、登録された販売主の集計を行い（Ｓ２１）、販売主のリストを作成する（Ｓ２２）。一方、登録処理（Ｓ２０）後、賃貸料金の支払い通知メールを送信し（Ｓ２３）、販売主からの賃貸料金の入金確認を行った（Ｓ２４）後、懸賞参加用アドレス、及び、登録コードの記載されたタックシールを発送する（Ｓ２５）。この際、販売主との契約成立を確認した（Ｓ２６）後、前記販売主リストに記録する。続いて、抽選応募期間における販売主の集計を行う（Ｓ２７）と共に、販売主からの賃貸料金の入金確認を行って申し込み本数に合わせて配分する（Ｓ２８）。
【００４０】
販売主からの契約時の送信メール、及び、賃貸料金の入金は、図２０に示す仲介業者の販売主の管理ページにおいて記録される。例えば、ある月の抽選において、一人の販売主に対して、支払い通知メール送信、及び、入金の確認項目への記録、契約時に発生した料金の記録、これら合計金額の記録が行われる。そして、参加した販売主全員において、前述した記録が同様に行われると共に、参加した販売主全員の人数記録、総計金額の記録、懸賞に合わせて決定された本数の入力の記録、その配分の金額の記録、総計金額から配分の金額を差し引いた残額の記録がおこなわれる。よって、各月の抽選の記録より年間の集計も管理されることになる。
【００４１】
つぎに、消費者に対する管理フローついて説明する。例えば、図２１に示すように、懸賞に応募してきた消費者の登録処理を行う（Ｓ４０）と共に、消費者が入力した登録コードに対して抽選コードを発行し（Ｓ４１）、その確認を行った後、抽選処理をし（Ｓ４２）、図４に示す懸賞に合わせて当選者を決定する（Ｓ４３）と共に、当選者リストを作成する（Ｓ４４）。そして、各当選者に当選通知メールを送信し（Ｓ４５）、当選者本人であるか否かの確認を行い（Ｓ４６）、懸賞を発送する（Ｓ４７）。なお、当選者リストは、図４に示す本発明の懸賞仲介システムのトップページにおいて閲覧できるため、個人情報を保護すべく抽選コードのみを掲載する。一方、登録された消費者の集計を行うと共に、消費者のリストを作成する（Ｓ４８）。また、上述したように、作成された消費者リストのうち、登録コード、年齢、登録日、性別を抜粋して、図２３に示す販売主の閲覧ページを作成する（Ｓ４９）。この販売主の閲覧ページは、図４に示すトップページにおいて、販売主がパスワードを入力して、該販売主の賃貸契約した登録コードを取得して応募してきた消費者の上記情報が閲覧できるようになっている。
【００４２】
消費者への各送信メール、及び、懸賞の確認や発送は、仲介業者の管理ページにおいて記録される。例えば、図２２に示すように、ある月の抽選において、応募してきた各消費者に対し、抽選コードの発行、当選通知メール、当選者の本人であるか否かの確認、懸賞の発送のチェックがそれぞれ行われる。そして、応募人数の記録、当選者数の記録、敗者復活戦の人数の記録が行われる。
【００４３】
そして、図２２に示すように、年一回は、前記抽選から外れた消費者に対して、敗者復活戦としての抽選を行うようにしてもよい。
【００４４】
なお、前記実施形態の場合、毎月一回抽選を行うようにしたが、これに限定されるものではなく、抽選回数は、適宜変更可能である。また、抽選内容、即ち一等、二等、三等や賞金、賞品も適宜変更可能である。
【００４５】
さらに、本発明の懸賞仲介システムの各ページの画面構成は、図示に限定されず、適宜変更可能であることはいうまでもない。
【００４６】
加えて、販売主のみに管理画面を設けたが、消費者にも管理画面を設けるようにしてもよい。
【００４７】
また、前記実施形態の場合、抽選に応募してきた消費者の個人情報の一部を閲覧するようにしたが、該消費者の希望情報、例えば、商品のアンケート、店舗や店員のアンケートを、販売主が閲覧できるようにすれば、販売主の経営戦略の検討に役立ち、イメージアップにもなり、知名度も高くなる一方、消費者の応募が少ない場合には、販売商品の手法を再考するための経営戦術の参考にもなる。
【００４８】
さらに、前記実施形態の場合、懸賞参加用アドレス、及び、登録コードの記載されたタックシールを使用したが、カードであってもよく、レシートであってもよい。
【００４９】
【発明の効果】
以上説明したように、本発明の懸賞仲介システムは、販売主が、懸賞参加情報の登録コードを仲介業者から賃貸することで、ネットワーク上において消費者を容易に募集参加させることができ、しかも、販売主自身が抽選を主催するに比して大幅に低減できる効果がある。さらに、懸賞の費用を参加した販売主の集計金額によって支払うことで、資金の大小に関係なく自由に参加できる。
【００５０】
また、懸賞参加情報を、消費者が抽選に参加するための必須の懸賞参加用アドレスと、登録された販売主の識別を行うと共に、抽選コードを懸賞に参加してきた消費者に発行するための必須の登録コードとから構成し、登録コードに賃貸料を課すことで、仲介業者及び販売主に対する利益が有効に賄えることができる。
【図面の簡単な説明】
【図１】本発明の懸賞仲介システムの概略構成図である。
【図２】本発明の懸賞仲介システムの概略説明図である。
【図３】販売主が消費者に発行する懸賞参加情報が記載されたタックシールを示した図である。
【図４】本発明の懸賞仲介システムのトップページを示した図である。
【図５】（Ａ）は、本発明の懸賞仲介システムの抽選案内のページを示した図、（Ｂ）は、本発明の懸賞仲介システムの当選者リストを示した図である。
【図６】販売主の手続フローを示した図である。
【図７】販売主の登録・契約申し込みページを示した図である。
【図８】販売主に発行する懸賞参加情報と、パスワードを示した図である。
【図９】消費者に発行する抽選コードと、パスワードを示した図である。
【図１０】販売主への受付完了通知メールを示した図である。
【図１１】販売主への支払い通知メールを示した図である。
【図１２】販売主への契約・登録完了通知メールを示した図である。
【図１３】仲介業者の管理ページ（販売主リスト閲覧ページ）を示した図である。
【図１４】消費者の手続フローを示した図である。
【図１５】消費者の登録ページを示した図である。
【図１６】消費者への登録完了通知メールを示した図である。
【図１７】消費者リストの管理ページを示した図である。
【図１８】（Ａ）は、規定額以上（一万円以上）の懸賞当選通知メールを示した図、（Ｂ）は、規定額未満（一万円未満）の懸賞当選通知メールを示した図である。
【図１９】仲介業者の販売主に対する管理フローを示した図である。
【図２０】仲介業者の販売主の管理ページを示した図である。
【図２１】仲介業者の消費者に対する管理フローを示した図である。
【図２２】仲介業者の消費者の管理ページを示した図である。
【図２３】仲介業者の管理する販売主が閲覧可能な消費者リスト閲覧ページを示した図である。
【符号の説明】
１  ネットワーク
２  管理サーバ
３  販売主の端末装置
４  消費者の端末装置
【図１】
2005043982.tif 000003
【図２】
2005043982.tif 000004
【図３】
2005043982.tif 000005
【図４】
2005043982.tif 000006
【図５】
2005043982.tif 000007
【図６】
2005043982.tif 000008
【図７】
2005043982.tif 000009
【図８】
2005043982.tif 000010
【図９】
2005043982.tif 000011
【図１０】
2005043982.tif 000012
【図１１】
2005043982.tif 000013
【図１２】
2005043982.tif 000014
【図１３】
2005043982.tif 000015
【図１４】
2005043982.tif 000016
【図１５】
2005043982.tif 000017
【図１６】
2005043982.tif 000018
【図１７】
2005043982.tif 000019
【図１８】
2005043982.tif 000020
【図１９】
2005043982.tif 000021
【図２０】
2005043982.tif 000022
【図２１】
2005043982.tif 000023
【図２２】
2005043982.tif 000024
【図２３】
2005043982.tif 000025